(57)【要約】      （修正有）【課題】漂白によっても退色しにくく、いつまでも色褪せず使用することができ、布巾の退色に起因する布巾の誤用を防止することのできるカラー布巾を提供する。【解決手段】カラー布巾を、原着糸で編成された基布１０と、この基布１０に織り込まれた柄糸１，２と、から構成したものであり、全体として基布１０の原着色が有する色を呈している。基布１０は、ウエール方向に並列して延びる原着糸よりなる鎖編目列１１に対して、コース方向に１列又は複数列離れた鎖編目列１１との間にわたり、原着糸よりなる緯挿入糸１２がジグザグ状に折り返し挿入された経編基布として編成されたものである。【選択図】図１
0003209877.tif 000002
【実用新案登録請求の範囲】
【請求項１】
原着糸で編成された基布と、
この基布に織り込まれた柄糸と、
から構成されたカラー布巾。
【請求項２】
請求項１に記載のカラー布巾であって、
前記柄糸も原着糸であるカラー布巾。
【請求項３】
相互に色が異なる複数種類の請求項１又は２に記載のカラー布巾を一纏めにパッケージしてなるカラー布巾セット。
【考案の詳細な説明】
【技術分野】
【０００１】
本考案は、退色の虞がなく、長期に亘って色の判別が可能なカラー布巾及びカラー布巾セットに関する。
【背景技術】
【０００２】
一般家庭とは異なり飲食店の厨房やテーブルなどでは使用目的に応じた専用の布巾を用意し、異なる使用目的間で布巾を共用しないようにしている。例えば、厨房で使用する布巾にあっては、肉用、魚用、惣菜用、ベーカリー用等々、調理の食材毎に専用化している。それは、布巾を介して異種の食材間で臭い移りが生じないようにするためである。
【０００３】
上記したような布巾の使い方をする場合、すべての布巾が同じ色であると、当然のことながら、使用目的に合っていない布巾を誤って使う虞が多分にある。そこで、布巾に目印を付けておくことが考えられるが、刺繍などでは見分け辛いことから、布巾そのものの色を使用目的に応じて異ならせることが最適である。
【先行技術文献】
【特許文献】
【０００４】
【特許文献１】特開平９−８７９４７号公報
【特許文献２】特開２００２−２６６１０６号公報
【考案の概要】
【考案が解決しようとする課題】
【０００５】
しかしながら、従来のカラー布巾は、編成後に染色することで着色したものであるため、特に厳しい衛生管理が行われる飲食店の厨房では漂白殺菌が高頻度で行われることから、布巾の退色が早く進み、やがては元の色がわからなくなって使用目的に合っていない布巾を誤用してしまう虞が出てくる。
【０００６】
本考案は、係る点に鑑みて創案されたものであり、その目的とするところは、漂白によっても退色しにくいカラー布巾を提供することを目的とする。
【０００７】
また、本考案は、購入の際に色の組合せを考慮する手間を省いて手軽に購入することのできるカラー布巾セットを提供することを目的とする。
【０００８】
なお、上記の特許文献１は、原着糸を用いた経編地に関する発明であるが、自動車内装材に使用することを目的としたものである。また特許文献２は、原着糸を用いたストッキング類に関する発明である。これらはいずれも原着糸を用いたものであるが、本考案とは目的及び技術分野を異にするものであり、原着糸を布巾に用いたものは従来知られていない。
【課題を解決するための手段】
【０００９】
上記した目的を達成するため、本考案に係るカラー布巾は、原着糸で編成された基布と、この基布に織り込まれた柄糸と、から構成されたことを特徴とするものである。
【００１０】
これによれば、原着糸は紡糸前の原液の段階で顔料を混合することにより着色された糸であるから、漂白により退色することがない。したがって、このような原着糸により布巾の基布が編成されているため、いつまでも色褪せず使用することができ、従来問題となっていた、布巾の退色に起因する布巾の誤用を防止することができる。
【００１１】
また、柄糸にも原着糸を用いてもよい。この場合、例えば基布とは異なる色の柄糸を用いれば、よりカラフルな布巾とすることができ、布巾のカラーバリエーションを増やすことができる。
【００１２】
本考案に係るカラー布巾セットは、相互に色が異なる複数種類の上記したカラー布巾を一纏めにパッケージしてなることを特徴とするものである。
【００１３】
これによれば、購入の際に色の組合せを考慮する手間を省いて手軽に購入することのできるので、購入者の負担を軽減することができる。
【図面の簡単な説明】
【００１４】
【図１】図１は、本考案に係るカラー布巾の一実施形態を示す組織図である。
【図２】図２は、図１に示すカラー布巾の第１柄糸を示す組織図である。
【図３】図３は、図１に示すカラー布巾の基布の鎖編目列を示す組織図である。
【図４】図４は、図１に示すカラー布巾の第２柄糸を示す組織図である。
【図５】図５は、図１に示すカラー布巾の基布の緯挿入糸を示す組織図である。
【考案を実施するための形態】
【００１５】
以下、本考案に係るカラー布巾の一実施形態について、図面を参照して説明する。
【００１６】
図１は、本考案に係るカラー布巾の一実施形態を示す組織図、図２は、カラー布巾の第１柄糸を示す組織図、図３は、図１に示すカラー布巾の基布の鎖編目列を示す組織図、図４は、カラー布巾の第２柄糸を示す組織図、図５は、カラー布巾の基布の緯挿入糸を示す組織図である。
【００１７】
このカラー布巾は、原着糸で編成された基布１０と、この基布１０に織り込まれた柄糸１，２とから構成されたものであり、全体として基布１０の原着糸が有する色を呈している。
【００１８】
基布１０は、ウエール方向に並列して延びる原着糸よりなる鎖編目列１１に対して、コース方向に１列又は複数列離れた鎖編目列１１との間にわたり、原着糸よりなる緯挿入糸１２がジグザグ状に折り返し挿入された経編基布として編成されたものである。
【００１９】
鎖編目列１１の原着糸と緯挿入糸１２の原着糸とは同色とされるのが好ましいが、カラーバリエーションを増やすために相互に異なる色としてもよい。また、原着糸としては、例えばポリエステル糸が用いられるが、これに限らない。
【００２０】
ここで原着糸とは、予め目的の色調を有する着色剤を含有したポリマーを溶融紡糸することにより着色された繊維であって、着色剤として染料ではない顔料を用いたものであり、例えば、予め着色剤を分散させておいたポリマーチップ（マスターチップ）と、このマスターチップを希釈するための非着色のポリマーチップ（ベースチップ）とを、溶融前のチップの段階において所定の比率で混合し、その後混合チップを溶融紡糸することにより得られるものである。
【００２１】
上記のようになる基布１０に対して、第１柄糸１と第２柄糸２とが挿入されている。第１柄糸１は、基布１０の表面側において、コース方向に複数列離れた鎖編目列１１間にコード編により編み込まれている。一方、第２柄糸２は、基布の裏面側に、基布１０の隣接する鎖編目列１１に横振りして編み込まれている。
【００２２】
これら第１柄糸１と第２柄糸２は、例えばレーヨン糸が用いられるが、これに限らない。また、これら柄糸１，２は、着色されていても或いは着色されていなくてもよい。着色する場合は、従来通りの染色によってもよい。さらに、着色する場合、上記基布１０の色と同色としてもよいし、カラーバリエーションを増やす為に異なる色としてもよい。さらに、これら両柄糸１，２を両方とも或いは片方を原着糸としてもよい。
【００２３】
なお、上記したカラー布巾の編組織の構成は一例であって、他の構成の編組織であってもよいことは勿論である。また、上記のような編成を行うには、例えばラッセル編機の使用が効率的である。
【００２４】
以上のようになるカラー布巾にあっては、基布１０に使用されている原着糸は紡糸前の原液の段階で顔料を混合することにより着色された糸であるから、漂白により退色することがない。したがって、いつまでも色褪せず使用することができ、従来問題となっていた、布巾の退色に起因する布巾の誤用を防止することができる。
【００２５】
次に、本考案に係るカラー布巾セットであるが、これは、相互に色が異なる複数種類の上記したカラー布巾を一纏めにパッケージしてなるものである。例えば、青、赤、緑の３色をワンセットとしてもよいし、２色又は４色以上のカラー布巾をワンセットとしてもよい。販売に際しては、例えば透明な合成樹脂フィルム製の袋に封入するか、或いは紙や合成樹脂製のテープで縛ってもよい。
【００２６】
このようなカラー布巾セットは、購入の際に色の組合せを考慮する手間を省いて手軽に購入することのできるので、購入者の負担を軽減することができる。
【符号の説明】
【００２７】
１  第１柄糸
２  第２柄糸
１０  基布
１１  鎖編目列
１２  緯挿入糸
【図１】
0003209877.tif 000003
【図２】
0003209877.tif 000004
【図３】
0003209877.tif 000005
【図４】
0003209877.tif 000006
【図５】
0003209877.tif 000007